(57)【要約】      （修正有）【課題】移動する物品搬送体から搬送方向の速度を効率よく打ち消して横方向に送り出しできる様にする。【解決手段】物品２を１つ又は２つ以上の物品搬送体１で支持し、当該物品搬送体１の物品支持部４を後方側の回転軸５により略水平面内で仕分口３のある横方向に首振りして物品２を送り出す。送り出し中の物品２と接触される前後いずれか又は両方の物品支持部４も同時又は略同時に横方向に首振りする。物品支持部４に回転軸５のラジアル方向内側への物品移動を抑制する移動抑制手段６を設ける。物品支持部４は回転軸５と同心の円弧状に形成し且つ薄板状に形成する。回転軸５を鉛直より少し後方側に傾斜する。【選択図】図２
2019073379.tif 000002
【特許請求の範囲】
【請求項１】
物品搬送体に載せて搬送される物品を物品の仕分情報に基づいて搬送ライン横の仕分口に略水平状態で送り出して仕分ける物品仕分方法であって、物品を１つ又は２つ以上の物品搬送体に渡して載せて支持させ、物品を支持した１つ又は２つ以上の物品搬送体の物品支持部を同物品支持部の後方側に配置した回転軸により略水平面内で仕分口のある横方向に首振りさせて物品を送り出す様にしたことを特徴とする物品仕分方法。
【請求項２】
物品を支持する物品搬送体に加えて送り出し中の物品と接触される前後いずれか又は両方の物品支持体の物品支持部も同時又は略同時に横方向に首振りさせることを特徴とする請求項１記載の物品仕分方法。
【請求項３】
物品支持部に回転軸のラジアル方向内側への物品移動を抑制する移動抑制手段が設けられ、物品支持部に支持又は接触されている物品が首振り時にラジアル方向外側へ押し出され易くしたことを特徴とする請求項１又は請求項２記載の物品仕分方法。
【請求項４】
搬送ラインに沿って多数の物品搬送体が連結され、物品の仕分情報に基づいて物品搬送体により搬送される物品を搬送ライン横に設けられた仕分口に略水平状態で送り出して仕分する物品仕分装置であり、各物品搬送体は物品を支持可能とする物品支持部が後方側に配置された回転軸により略水平面内で横方向に首振り可能であり、仕分口には通過する物品搬送体の物品支持部を仕分口のある横方向に首振り可能とする首振り駆動手段が設けられ、同首振り駆動手段は物品の仕分情報に基づいて動作が制御される様にしたことを特徴とする物品仕分装置。
【請求項５】
物品支持部は回転軸と同心の円弧状に形成され且つ薄板状に形成されていることを特徴とする請求項４記載の物品仕分装置。
【請求項６】
物品支持部の回転軸が鉛直より少し後方側に傾斜されて前後の物品搬送体で物品支持部の回転空間が互いに干渉しないようにしたことを特徴とする請求項４又は請求項５記載の物品仕分装置。
【発明の詳細な説明】
【技術分野】
【０００１】
多数の物品をその仕分情報に基づいて仕分するための仕分方法及び仕分装置に関するものであり、各種装置において物品を水平に送り出してベルトコンベアなどに乗り継がせて仕分けするのに利用できるものである。一つの例として野菜や果実等の傷み易い物品を仕分する選別機として使用できるものである。
【背景技術】
【０００２】
多数の物品を搬送体に載せて搬送してライン途中の仕分口に設けられたベルトコンベアなどに乗り継がせて仕分けする装置として物品の種類、大きさ、形状に応じていくつかある。
【０００３】
例えば特許文献１に記載のものは、物品搬送体の物品載せ体を斜め後方に稼働させて物品を斜め後方に送り出し、物品を物品搬送体の側方に配置されたプールコンベアに乗り継がせて仕分けできる様にしたものである。この仕組みでは、走行する物品搬送体から排出される物品の搬送方向の速度成分が小さくなるため、直交する幅細のプールコンベアに略水平状態で乗り継がせることができるようになっている。
【先行技術文献】
【特許文献】
【０００４】
【特許文献１】特開２００９−２７４８７８号広報。
【発明の概要】
【発明が解決しようとする課題】
【０００５】
上記発明では、大きな果菜や座りの良い果菜はプールコンベアに安定した姿勢で乗り継がせることができるが、小さな果菜や転がりやすい果菜はうまく乗り継ぎできないことがあった。その理由は物品を斜め後方に送り出す方法そのものにある。
【０００６】
物品の送り出し速度は、斜め後方向きの速度ベクトルで表すことができるが、これは物品搬送体の搬送方向の速度成分（物品搬送体の搬送方向と逆向きのためマイナス値）と物品搬送体横方向への速度成分との２つに分解できる。搬送中の物品を搬送方向と直交する向きのプールコンベアにスムースに乗り継ぎさせるには、斜めの速度ベクトルの搬送方向の速度成分をできるだけマイナス側に大きくして物品搬送体の移動速度との合計が０に近くすることが望ましい。そのためには斜め後方への角度を極力後ろ向きすれば良いが、そもそも物品を真後ろに近い方向で移動させては直後の物品とぶつかるため現実的でない。また図２に示される係止具と係止具ガイドでベルトを往復させる場合には構造的・機械的な制約もある。このような理由から実際には斜め後方の角度は真横に対して３５度ほどの後ろ向きの角度にされている。
【０００７】
例えば３５度の角度で斜め後方に物品を送り出すとして、物品搬送方向のマイナス速度をできるだけ大きくするには斜め後方への送り出し速度を速めれば良い。具体的には斜めのベルトコンベアの回転速度を上げれば良い。しかし他方で同時に物品搬送体横方向への速度成分も増大することになる。この横方向の速度が大きくなると引き継ぎさせる側のプールコンベアも合わせて高速で回転させる必要が生じる。しかしプールコンベアを高速運転させると必然的に長いものとなってしまう。さらにプールコンベアを間欠動作させて物品を整列して蓄積しようとすると、間欠動作のサイクル時間内でコンベアを急加速急減速をしなければならず、桃やリンゴなどの丸く座りの悪い果実はせっかく姿勢良く乗り継ぎさせてもコンベア上で大きく揺り返されて転倒してしまったり、間欠距離を詰めるとコンベア上で果実同士がぶつかってしまったりもする。
【０００８】
以上のことから斜め後方の角度は３５度程度としつつ、全体としてのバランスを見て、斜め後方への送り出しの速度ベクトルは物品搬送体の速度を完全に打ち消さず、プールベルトの引き継ぎ速度もそこそこ上げるという、ある程度妥協した設定で送り出しをコントロールせざるを得なかった。この結果、小さな果実や座りの悪い桃やリンゴなどの果実は搬送方向の速度が残ったままプールコンベアへ乗り継ぎさせられ、プールコンベア上での転倒や蓄積数に引き続き課題が残った。
【０００９】
この他、物品載せ体をベルトやローラで構成した場合には、物品の駆動が先端ローラーまでとなるが、ローラーの直径は実用的には１０数ｍｍ以上必要になるため、向かい合うプールコンベア先端との間に物品を駆動できない谷間が数ｃｍ程度発生してしまっていた。先に説明した小さな物品や座りが悪く転がりやすい物品ではこの谷間が大きな問題となり、先の速度残とも合わさってスムースな乗り継ぎの阻害要因となっていた。
【００１０】
さらには物品載せ体をベルトやローラーで構成すると汚れが付着しても清掃がしにくいという課題もあった。
【課題を解決するための手段】
【００１１】
本発明の物品仕分方法は、物品搬送体に載せて搬送される物品を物品の仕分情報に基づいて搬送ライン横の仕分口に略水平状態で送り出して仕分ける物品仕分方法であって、物品を１つ又は２つ以上の物品搬送体に渡して載せて支持させ、物品を支持した１つ又は２つ以上の物品搬送体の物品支持部を同物品支持部の後方側に配置した回転軸により略水平面内で仕分口のある横方向に首振りさせて物品を送り出す様にした。
【００１２】
物品を支持する物品搬送体に加えて送り出し中の物品と接触される前後いずれか又は両方の物品支持体の物品支持部も同時又は略同時に横方向に首振りさせる様にした。
【００１３】
物品支持部に回転軸のラジアル方向内側への物品移動を抑制する移動抑制手段を設け、物品支持部に支持又は接触されている物品が首振り時にラジアル方向外側へ押し出され易くした。
【００１４】
本発明の物品仕分装置は、搬送ラインに沿って多数の物品搬送体が連結され、物品の仕分情報に基づいて物品搬送体により搬送される物品を搬送ライン横に設けられた仕分口に略水平状態で送り出して仕分する物品仕分装置であり、各物品搬送体は物品を支持可能とする物品支持部が後方側に配置された回転軸により略水平面内で横方向に首振り可能であり、仕分口には通過する物品搬送体の物品支持部を仕分口のある横方向に首振り可能とする首振り駆動手段が設けられ、同首振り駆動手段は物品の仕分情報に基づいて動作が制御される様にした。
【００１５】
物品支持部は回転軸と同心の円弧状に形成し且つ薄板状に形成する様にした。
【００１６】
物品支持部の回転軸を鉛直より少し後方側に傾斜して前後の物品搬送体で物品支持部の回転空間が互いに干渉しない様にした。
【発明の効果】
【００１７】
本発明の物品仕分方法には次のような効果がある。
（１）物品支持部を後方の回転軸で横向きに首振りする様に回転させて物品を送り出すため、例えば９０度首振りさせれば物品の送り出し方向は物品搬送体の搬送方向と真逆となり、物品搬送体の移動速度を容易に打ち消して真横に排出できるようになる。物品支持部の横方向の速度はそれ自体は０であるが物品の支持部が横に移動され且つ物品に遠心力も働くため横排出でき、仕分口に例えばベルトコンベアを設けることで物品を低速且つ略水平状態で引き継がせることができる。
（２）物品の送り出しが円弧軌道のため、物品を斜め後方にまっすぐ排出させる方法に比べて後方の物品と接触しにくく、物品搬送体への物品の載せ置き間隔を狭めて搬送能力を向上することができる。
（３）物品支持部にはベルトやローラーなどの細かで清掃しにくい追加の部品を必要としないため、掃除しやすく衛生管理し易い物品仕分装置を実現できる。
（４）物品支持部を薄板状とすれば、仕分口にベルトコンベアを設けて乗り継がせる場合に、物品支持部をコンベア上面に面一で且つ近接させることができ乗り継ぎミスの原因となる谷間を生まない。そして薄板状の物品支持部がベルトコンベア上面まで物品を送り出すため、物品をスムースに安定した状態姿勢で乗り継ぎさせることができる。
（５）物品と接触させる後方の物品支持部も一緒に首振りさせると同物品支持部の移動抑制手段が物品を外側に押し出すため、より確実に物品を送り出すことができる。
（６）１つ又は２つ以上の物品搬送体に支持させて物品を搬送させる方法のため、大きいものは３つ４つの物品搬送体に載せ置き、小さいものは２つの物品搬送体の載せ置くなど、大きいもの小さいものを混在させて効率よく仕分できる。
【００１８】
本発明の物品仕分装置には上記の効果に加えて、次のような効果がある。
（１）部品を載せて支持する物品支持部を首振りさせるだけの簡単な構造の仕分け装置を作ることができる。
（２）物品支持部を円弧状又は扇状とすることで物品の載せ置き位置が変化してもほぼ同じ様な軌道で移動させることができるため、置き方の変化にも余裕が生まれる。
（３）物品搬送体の回転軸が後方に僅かに傾斜されて前後の物品支持部の回転空間が異なっているため、物品搬送体同士を近づけて高密度に配置させることができる。物品搬送体の間隔が小さいと、小さいものから大きなものまで混在させて搬送することができ、搬送能力及び仕分能力を向上させることができる。
【図面の簡単な説明】
【００１９】
【図１】本発明の物品仕分方法及び物品仕分装置の実施例における仕分口部分の斜視図。
【図２】図１の拡大図であり物品支持部を首振りさせた状態。
【図３】本発明の物品仕分方法及び物品仕分装置における物品搬送体の他の実施例を示した斜視図。
【図４】本発明の物品仕分方法の他の実施例を示した斜視図。
【発明を実施するための形態】
【００２０】
図１、２は本発明の物品仕分方法を示したものであり、物品２として桃やトマトなどの丸い果菜を仕分する例である。物品２を載せて搬送する物品搬送体１は循環走行するチェーン１０に沿って物品２の大きさよりも小さい等間隔で多数取り付けてある。この例では小型チェーン１０のピッチに合わせた３１．７５ｍｍの間隔で取り付けてある。物品搬送体１はチェーン１０により４５０ｍｍ／秒で移動される様にしてある。各物品搬送体１は上部に略扇形の扇状部品１１を備えており、初期位置では円弧状の縁部分（物品支持部４となっている）をチェーン移動方向（図２の矢印ａ方向）に向けてある。扇状部品１１はチェーン１０と蝶番１２で連結されており且つ円弧の中心が蝶番１２の回転軸５と同心であり、物品支持部４を仕分口３のある横方向に向けて後ろに９０度以上首振り可能としてある。また各蝶番１２の回転軸５は鉛直より後方に約３度傾斜させてあり、物品搬送体１の取付ピッチよりも大きい半径約７０ｍｍの扇状部品１１をウロコの様に重ならせ、各扇状部品１１は一つひとつを独立して首振り回転できるようにしてある。また回転軸５の後方傾斜により各物品搬送体１は前方側の物品支持部４が高くなっており、物品２を２つ以上の物品搬送体１に渡して載せるとほぼ物品支持部４だけで支持されるようになっている。
【００２１】
前記物品支持部４の上面には放射状に複数の凸条１３を設けてあり、支持した物品２をスリップさせずに首振り方向へ送り出すことができる様にしてある。また物品支持部４の円弧状縁１４は凸条１３と共に前方にある扇状部品１１の上面に対して１段高くなっており、前方側からは壁の様になっており、物品２が回転軸５のラジアル方向内側へ移動されるのを抑制する移動抑制手段６となっている。この移動抑制手段６により物品２が載った前方の物品支持体４と一緒に後方の物品支持体４も一緒に首振りさせると、前方の物品支持体４の首振りにより移動される物品２が後方の移動抑制手段６と接触されて外側へと押し出される様になり、物品２の横方向への送り出しがより強まる様になっている。
【００２２】
本例では上記の物品搬送体１の上に２つ以上に渡して物品２を載せ置いて搬送する。そして仕分口３のある個所で物品２を載せた２つ以上の物品搬送体１の物品支持部４を先頭のものから順番に続けて首振りさせる。この時、略９０度回転した物品支持部４の速度がチェーン速度と同じであるが１８０度逆向き（図中の矢印ｂ方向）になる様に回転速度を制御し、物品２の矢印ａ方向における地上速度が０となる様にする。この様にすることで物品支持体４に載った物品２は略水平面内で円弧を描く様に移動されながら、物品搬送体１の矢印ａ方向の地上速度が０の状態で矢印ｃ方向に送り出される。そして物品２が送り出される丁度その先に物品支持部４の上面と面一で且つ近接させて矢印ｃ方向に回転されるベルトコンベア１５を設けることで、物品２を略水平状態で乗り継ぎさせることができる。物品支持部４は９０度回転させた後も継続してさらに１０度位回転させ、その間継続的に物品支持部４による物品搬送体１の搬送方向の速度を打ち消し効果を作用させ、万一物品２の乗り継ぎに時間が掛かっても物品２にチェーン移動方向のブレーキがかからないようにする。
【００２３】
前記物品搬送体１の首振りは物品２の仕分情報に基づいて動作させる様にしてある。この仕分情報は物品搬送体１毎にセットされ、1番目の仕分口３で送り出される物品２を支持している物品搬送体１には１番の番号がセットされ、２番目の仕分口３で送り出される物品２を載せている物品搬送体１には２番の番号がセットされるという具合である。この仕分情報は例えば物品搬送体１のライン途中にカメラなどを設けて物品２の規格を判別させ規格別に仕分口を割り当てることで得ることができるものである。
【００２４】
本発明では小さな物品２や胡瓜の様な細長い物品２は１つの物品搬送体１の物品支持部４に載せて搬送させても良い。例えば図４に示す様に物品２が胡瓜である場合は、物品２を一つの物品支持体４の上に長手方向を円弧方向に沿わせて載せ、同物品２を首振りさせる際に後方の物品支持部４も一緒に首振りさせる。前方の物品支持部４に載った物品２が首振り移動時に後方側の物品支持部４の円弧状縁１４と接触されて移動抑制手段６により矢印ｃ方向に送り出される。このとき胡瓜は９０度向きが変換されて送り出されるため、ベルトコンベア１５で引継ぎさせると蓄積間隔を詰めることができるので便利である。ウロコの様に重ねられている扇状部品１１の物品支持部４は首振り回転の際に徐々に後方の物品支持部４の下側に潜り込んで行くため、物品２は後方の物品支持部４の円弧状縁１４（移動抑制手段６）と接触されて円弧外側へと押し出される様になり、９０度首振りされた時には物品２は物品支持部４上から矢印ｃ方向へと送り出される様になっている。
【００２５】
本発明では仕分口３にベルトコンベア１５に替えて下り傾斜のシューターなど別の装置を設けてもよい。物品２によってはローラーコンベアでも良いし、ターンテーブルでも良い。本発明の方法では物品支持部４を薄板状にすればどの様な引き継ぎ装置でもほぼ面一で且つ近接させ設けることができ、略水平状態で乗り継ぎさせることができる。
【００２６】
図１、２は本発明の物品仕分装置を示したものであり、桃などの果実やトマトなどの野菜を物品２として仕分する場合を例とするものである。物品２を載せて搬送する物品搬送体１は循環走行するチェーン１０に沿って物品２の大きさよりもやや小さい等間隔で多数取り付けてある。この例では小型チェーン１０のピッチに合わせた３１．７５ｍｍの間隔で取り付けてある。このため通常サイズの物品２は２つ以上の物品搬送体１に渡して載せ置く。但し直径相当で３０ミリ以下の物品２についても搬送可能であり、この場合は１つの物品２を１つの物品搬送体１に載せ置くものとする。物品搬送体１は下部に蝶番１２を有しており、同蝶番１２の回転軸５は鉛直に対して搬送方向後方に約３度傾斜させてある。この蝶番１２は第１プレート１６をチェーン１０に固定してあり、第２プレート１７を回動自在としてある。第２プレート１７は上部に扇状部品１１を取り付けてあり、円弧状縁１４が回転軸５より搬送方向前方側に向けて大きく突き出す様にしてある。第２プレート１７の下部には下向きにピン１８を突設してあり、同ピン１８を矢印ｄ方向に回転させると上部の扇状部品１１の円弧状の縁部分である物品支持部４を略水平面内で仕分口３のある横方向に首振りする様に回動でき、ピン１８を矢印ｅ方向に戻すと扇状部品１１の物品支持部４を搬送方向前方の初期位置に戻すことができるようにしてある。
【００２７】
前記扇状部品１１は薄板状であり厚みは２ｍｍ弱である。前方の物品支持部４の円弧縁は蝶番１２の回転軸５と中心を一致させてあり、その半径は物品搬送体１の取付ピッチより大きい約７０ｍｍとしてあり、前記回転軸５の後方傾斜により前方の物品搬送体１の扇状部品１１の上に後方の物品搬送体１の扇状部品１１がウロコの様に重なっている。同扇状部品１１は詳しくはベースがバネ性を有する金属板でありその上にシート状に成型された樹脂部品を貼り付けた構成としてある。前記物品支持部４は扇状部品１１が回転軸５の後方傾斜で傾斜されていても前方の物品支持部４の上面だけは水平になる様に面がカットされており、物品支持部４の断面が先端に向かって薄くなっている。また物品支持部４には回転方向への搬送力を高めるため小さな凸条１３を放射状に多数形成してある。この物品支持部４は凸条１３と共に前方の物品２が円弧状縁１４を超えてラジアル方向内側へ移動されるのを抑制する移動抑制手段６ともなっている。また物品支持部４の仕分口３と反対側の横縁には物品２の側面を支持可能とする横支持突起１９を設けてある。同横支持突起１９は物品支持部４が回転される際に慣性力で物品２が反対側に倒れようとするのを防止する機能と、物品支持部４を仕分口３側に９０度首振りさせた際に仕分口３のベルトコンベア１５の前端まで迫り出して物品２を確実に送り出させる機能を有する。
【００２８】
前記チェーン１０の仕分口３部分には蝶番１２のピン１８を案内できるガイド部品２０を設けてある。ガイド部品２０はピン１８を案内できるガイド溝２１、２２を設けてあり、１つは直進するガイド溝２１、もう一つは斜めのガイド溝２２である。そして両ガイド溝２１、２２の交差部にはピン１８をどちらか一方のガイド溝に通すための切替具２３を設けてある。切替具２３は上下動され、切替具２３が降下した状態ではピン１８を直進するガイド溝２１に直進させ、物品支持部４を搬送方向前方に向けた初期状態のまま保持し、切替具２３が上昇した状態ではピン１８が斜めのガイド溝２３に案内され、ピン１８を徐々に仕分口３側に移動させて第２プレート１７を矢印ｄ方向に回動させて物品支持部４を仕分口３側に首振りさせる。斜めのガイド溝２２はベルトコンベア１５の幅に合わせて設計されており、物品支持部４をベルトコンベア１５の幅方向手前側から徐々に首振りさせ、ベルトコンベア１５の幅方向中央より少し先のところで物品支持部４を９０度首振りさせ、さらに進みながら１００度まで首振りさせることができるようにしてある。このため物品支持部４に支持された物品２はベルトコンベア１５の幅方向中央付近で乗り継ぎさせられるようになっている。前記ガイド部品２０及び切替具２３は仕分口３を通過する物品搬送体１を仕分口３のある横方向に首振り可能とする首振り駆動手段７となっている。
【００２９】
前記仕分口３は図１に示す様にチェーン１０の搬送方向に沿って複数設けてある。これらの仕分口３の搬送方向手前側には、図示していないが、物品搬送体１に物品２を手載せする手選部や搬送中の物品２をカメラで撮影して大きさや形状、色を検査する検査部がある。検査部では物品２の検査結果に基づいて個々の物品２の規格を判別すると共に物品２を何番目の仕分口３に送り出すのかを決定して仕分情報を生成するようになっている。例えば物品２の規格がＡであるものを１番目の仕分口３に排出し、規格Ｂを２番目の仕分口３に排出するという情報である。この仕分情報は物品搬送体１毎に割り当てられる様にしてあり、各仕分口３の前記切替具２３はこの仕分情報に基づいて上下動される様になっている。例えば仕分情報が１番目の仕分口３となっている物品搬送体１が１番目の仕分口３を通過すると1番目の切替具２３が上昇され、仕分情報が２番目の仕分口３となっている物品搬送体１が２番目の仕分口３を通過するとこの２番目の切替具２３が上昇されるようになっている。またこの仕分情報は２つの物品搬送体１で同じ物品２を支持する場合にはこれら２つの物品搬送体１の物品支持部４を連続して首振りさせ、同様に３つの物品搬送体１で同じ物品２を搬送する場合には３つの物品搬送体１の物品支持部４を連続して首振りさせる。さらに物品２を直接には載せていない場合でも物品２が首振りで移動されるときに前後の物品搬送体１の物品支持部４と接触する場合には、接触される物品搬送体１にも同じ仕分情報を割り付けて物品支持部４を首振り動作する様にしてある。
【００３０】
本実施形態では各仕分口３のベルトコンベア１５も仕分情報に連動動作する様にしてあり、１番目の切替具２３が動作したときは１番目のベルトコンベア１５が物品２の引継ぎに適したタイミングで回転を始め、物品２が完全に乗り継いだタイミングで回転を停止する間欠動作する様にしてある。物品２が連続して物品搬送体１から送り出されるときはその間だけ連続してベルトコンベア１５が動作する様にもしてある。これにより非常に小刻みな間欠運を防止している。
【００３１】
前記ベルトコンベア１５の先端には物品搬送体１の首振りされた物品支持部４が直接接触しないように断面Ｌ字型の先端カバー２４を取り付けてある。先端カバー２４の上面はベルトコンベア１５の上面とほぼ面一にしてある。
【００３２】
本発明の物品仕分方法や物品仕分装置における物品搬送体１は、物品搬送体１を小さな間隔で取り付けしやすくするため図３に示すように２つずつをセットにした構造でもよい。図３は２本の平行すあるチェーン１０に３つのギア３０、３１、３２を内蔵した駆動ケース３３が取り付けられ、駆動ケース３３の上に２つずつ扇状部品１１が取り付けられている。２つの扇状部品１１はギア３０と連結されたレバー３４を矢印ｅ方向に回動することで扇状部品１１の回転軸５に取り付けられた２つのギア３１、３２が同時に矢印ｄ方向に回動され、上の２つの物品支持部４を仕分口３側に首振りできるようにしてある。レバー３４は図２に示すようなガイド溝に案内して動かすことができる。この例でも扇状部品１１の回転軸５は鉛直より後方に約３度傾斜されており、前方の扇状部品１１の上に後方の扇状部品１１がウロコ状に重なっている。この物品搬送体１の例では２つずつセットに対して仕分情報を割り当ててあり、物品２を載せている物品搬送体１が２つの駆動ケース３３にまたがっている場合はこれらを同時又は連続的に駆動して首振りさせる。また直接に物品２を支持していなくても首振り中に物品２と接触される物品支持部４がある場合はその物品支持部４も首振りさせるようにする。
【００３３】
本発明の物品仕分方法や物品仕分装置において物品支持部を首振りさせる機構は上記のものに限られない。例えばバネを圧縮した状態で物品支持部４を前方に向けままの状態にラッチで係止し、首振り箇所でラッチを解除してバネの力で物品支持部４を首振り駆動させるようにする方法もある。
【００３４】
本件発明では前記物品搬送体の扇状部品の回転軸を鉛直より３度以上、例えば５度や６度と傾斜させてもよい。この場合、円弧状の物品支持部が９０度首振りされた際に平らな物品支持部が排出方向に下り傾斜面となるため物品の横排出がさらに促進されるようになる。
【産業上の利用可能性】
【００３５】
本発明の物品仕分方法と物品仕分装置は、トマトや桃などの略球形の果菜や果実の仕分やその他各種物品の仕分に使用できるものである。
【符号の説明】
【００３６】
１  物品搬送体
２  物品
３  仕分口
４  物品支持部
５  回転軸
６  移動抑制手段
７  首振り駆動手段
【図１】
2019073379.tif 000003
【図２】
2019073379.tif 000004
【図３】
2019073379.tif 000005
【図４】
2019073379.tif 000006